【事件の表示】
　特許第５７６９５６１号に関する訂正審判事件について、次のとおり審決する。
【結　論】
　特許第５７６９５６１号の明細書、特許請求の範囲を本件審判請求書に添付された訂正明細書、特許請求の範囲のとおり訂正することを認める。
【理　由】
第１　手続の経緯　
　本件審判の請求に係る特許５７６９５６１号（以下、「本件特許」という。）は平成２３年９月１３日に出願され、平成２７年７月３日に特許権の設定登録がなされ、その後、平成２８年２月１０日に本件訂正審判が請求されたものである。
第２　請求の趣旨
 
　本件審判請求の趣旨は、本件特許の明細書、特許請求の範囲を本件審判請求書に添付した訂正明細書、特許請求の範囲のとおり訂正することを認める、との審決を求めるものである。
第３　訂正の内容
 
１．訂正事項１
　本件特許請求の範囲の請求項１に
「前記当り判定手段の肯定で実行される特定の当り遊技において、複数種類の演出モードの中から前記操作手段の操作により選択された演出モードを決定するモード決定手段と、」
とあるのを、
「前記当り判定手段の
判定結果が
の場合に
    
２．訂正事項２
　本件特許請求の範囲の請求項１に
「前記演出実行制御手段は、前記特定の当り遊技の次に行われる当り遊技および該当り遊技後の図柄変動演出において、前記モード決定手段で決定された演出モードに対応する演出パターンを前記図柄表示手段で実行させるよう構成され、」
とあるのを、
「前記演出実行制御手段は、前記特定の当り遊技の次に行われる当り遊技および該
特定の
に訂正する。
３．訂正事項３
　本件特許請求の範囲の請求項１に
「前記演出種類選択用演出中に前記操作手段の操作により選択された演出モードを前記モード決定手段が決定した場合には、前記特定の当り遊技に当選することが繰り返される間は、前記モード決定手段が決定した演出モードに対応した図柄変動演出パターンを前記図柄変動演出パターン決定手段すると共に、前記モード決定手段が決定した演出モードに対応した当り演出パターンを前記当り演出パターン決定手段が決定し、該決定された図柄変動演出パターンおよび当り演出パターンを前記演出実行制御手段が前記図柄表示手段で実行させるよう構成された」
とあるのを、
「前記演出種類選択用演出中に前記操作手段の操作により選択された演出モードを前記モード決定手段が決定した場合には、前記特定の当り遊技に当選することが繰り返される間は、前記モード決定手段が決定した演出モードに対応した図柄変動演出パターンを前記図柄変動演出パターン決定手段
が決定
に訂正する。
４．訂正事項４
　本件明細書の段落【０００６】に
「前記課題を克服し、所期の目的を達成するため、本願の請求項１に係る発明は、
　遊技球を検出する始動検出手段(34a,34b)と、該始動検出手段(34a,34b)の球検出を契機として複数種類の図柄を変動させる図柄変動演出を実行する図柄表示手段(17)と、前記始動検出手段(34a,34b)の球検出を契機として当りか否かを判定する当り判定手段(60a)とを備え、該当り判定手段(60a)の判定結果が肯定の場合は、前記図柄変動演出の終了後に当り遊技が行われる遊技機において、
　遊技者が操作可能な操作手段(35)と、
　前記始動検出手段(34a,34b)の球検出を契機として前記図柄変動演出の演出内容を特定する図柄変動演出パターンを複数種類の中から１つ決定する図柄変動演出パターン決定手段(65a)と、
　前記当り判定手段(60a)の判定結果が肯定の場合に、当り遊技中に前記図柄表示手段(17)で実行される演出内容を特定する当り演出パターンを複数種類の中から１つ決定する当り演出パターン決定手段(65a)と、
　前記当り判定手段(60a)の肯定で実行される特定の当り遊技において、複数種類の演出モードの中から前記操作手段(35)の操作により選択された演出モードを決定するモード決定手段(65a)と、
　前記図柄変動演出パターン決定手段(65a)および当り演出パターン決定手段(65a)で決定した演出パターンの夫々を、前記図柄表示手段(17)で実行させる演出実行制御手段(65a)とを備え、
　前記図柄変動演出パターン決定手段(65a)および当り演出パターン決定手段(65a)で決定し得る演出パターンは、前記モード決定手段(65a)で決定された演出モードに対応し、
　前記当り遊技には、前記当り判定手段(60a)の判定結果が肯定となる確率が向上する確変状態が当り遊技後に付与される前記特定の当り遊技と確変状態が付与されない当り遊技とが設定され、
　非確変状態において前記始動検出手段(34a,34b)の球検出を契機とする前記当り判定手段(60a)の判定結果が肯定の場合に実行される前記特定の当り遊技中に、前記演出モードが選択可能であることを示唆する演出種類選択用演出が前記図柄表示手段(17)で実行され、
　前記演出種類選択用演出中に前記操作手段(35)の操作により選択された演出モードを前記モード決定手段(65a)が決定した場合には、前記特定の当り遊技に当選することが繰り返される間は、前記モード決定手段(65a)が決定した演出モードに対応した図柄変動演出パターンを前記図柄変動演出パターン決定手段(65a)が決定すると共に、前記モード決定手段(65a)が決定した演出モードに対応した当り演出パターンを前記当り演出パターン決定手段(65a)が決定し、該決定された図柄変動演出パターンおよび当り演出パターンを前記演出実行制御手段(65a)が前記図柄表示手段(17)で実行させるよう構成されたことを要旨とする。」
とあるのを、
「前記課題を克服し、所期の目的を達成するため、本願の請求項１に係る発明は、
　遊技球を検出する始動検出手段(34a,34b)と、該始動検出手段(34a,34b)の球検出を契機として複数種類の図柄を変動させる図柄変動演出を実行する図柄表示手段(17)と、前記始動検出手段(34a,34b)の球検出を契機として当りか否かを判定する当り判定手段(60a)とを備え、該当り判定手段(60a)の判定結果が肯定の場合は、前記図柄変動演出の終了後に当り遊技が行われる遊技機において、
　遊技者が操作可能な操作手段(35)と、
　前記始動検出手段(34a,34b)の球検出を契機として前記図柄変動演出の演出内容を特定する図柄変動演出パターンを複数種類の中から１つ決定する図柄変動演出パターン決定手段(65a)と、
　前記当り判定手段(60a)の判定結果が肯定の場合に、当り遊技中に前記図柄表示手段(17)で実行される演出内容を特定する当り演出パターンを複数種類の中から１つ決定する当り演出パターン決定手段(65a)と、
　前記当り判定手段(60a)の
判定結果が
の場合に
　前記図柄変動演出パターン決定手段(65a)および当り演出パターン決定手段(65a)で決定した演出パターンの夫々を、前記図柄表示手段(17)で実行させる演出実行制御手段(65a)とを備え、
　前記図柄変動演出パターン決定手段(65a)および当り演出パターン決定手段(65a)で決定し得る演出パターンは、前記モード決定手段(65a)で決定された演出モードに対応し、
　前記演出実行制御手段(65a)は、前記特定の当り遊技の次に行われる当り遊技および該特定の当り遊技後の図柄変動演出において、前記モード決定手段(65a)で決定された演出モードに対応する演出パターンを前記図柄表示手段(17)で実行させるよう構成され、
　前記当り遊技には、前記当り判定手段(60a)の判定結果が肯定となる確率が向上する確変状態が当り遊技後に付与される前記特定の当り遊技と確変状態が付与されない当り遊技とが設定され、
　非確変状態において前記始動検出手段(34a,34b)の球検出を契機とする前記当り判定手段(60a)の判定結果が肯定の場合に実行される前記特定の当り遊技中に、前記演出モードが選択可能であることを示唆する演出種類選択用演出が前記図柄表示手段(17)で実行され、
　前記演出種類選択用演出中に前記操作手段(35)の操作により選択された演出モードを前記モード決定手段(65a)が決定した場合には、前記特定の当り遊技に当選することが繰り返される間は、前記モード決定手段(65a)が決定した演出モードに対応した図柄変動演出パターンを前記図柄変動演出パターン決定手段(65a)が決定すると共に、前記モード決定手段(65a)が決定した演出モードに対応した当り演出パターンを前記当り演出パターン決定手段(65a)が決定し、該決定された図柄変動演出パターンおよび当り演出パターンを前記演出実行制御手段(65a)が前記図柄表示手段(17)で実行させるよう構成されたことを要旨とする。」
に訂正する。
第４　当審の判断
 
１　訂正事項１
（１）訂正の目的について
　訂正前の請求項１には「当り判定手段の肯定で実行される特定の当り遊技」と記載されているが、「当り判定手段の肯定」とは、どのような意味なのか不明瞭になっていた。
　ここで、本件特許の願書に添付した明細書、特許請求の範囲又は図面（以下、「本件特許明細書等」という。）の請求項１には、
「前記始動検出手段の球検出を契機として当りか否かを判定する当り判定手段とを備え、該当り
判定手段の判定結果が肯定の場合
と記載され（以下、下線部は訂正に関係する箇所を意味する。）、
　明細書の段落【００９５】には、
「すなわち、複数種類の当り遊技の中から付与する当り遊技の種類を決定する当り遊技決定手段(
当り判定手段
としての機能を前記メイン制御ＣＰＵ６０ａが備えている
当り判定手段による判定結果が肯定となる確率
と記載され、
　明細書の段落【０１０４】には、
「前記ステップＢ１５の処理により各種乱数が取得されると、図６に示すように、
メイン制御ＣＰＵ６０ａは、
大当り判定(当り抽選)を行う
大当り判定の判定結果が肯定の場合
と記載され、
　明細書の段落【０１２１】には、
「本実施例のパチンコ機１０では、通常モードにおいて前記第１および第２始動入賞口３１ａ,３１ｂへのパチンコ球の入賞を契機とする
大当り判定が肯定で大当り遊技(特定の当り遊技)が付与された場合
特定の当り遊技(図柄Ａ,Ｃまたは図柄ａで当選して大当り遊技終了後に確変状態となるもの)
と記載されているから、本件特許発明では、当り判定手段（メイン制御ＣＰＵ６０ａ）の当り判定の判定結果が肯定の場合(図柄Ａ,Ｃまたは図柄ａで当選した場合）に特定の当り遊技（確変状態）となることは明らかである。
　そこで、訂正事項１は、
「前記当り判定手段の肯定で実行される特定の当り遊技」という記載を、
「前記当り判定手段の
判定結果が
の場合に
（２）新規事項の追加及び特許請求の範囲の拡張又は変更の存否について
　（１）で検討したように、上記訂正事項１は、本件特許明細書等に記載した事項又は記載した事項から自明な事項であり、本件特許明細書等に記載した事項の全ての記載を総合することにより導かれる技術的事項との関係において新たな技術的事項を導入しないものであるから、訂正事項１は、本件特許明細書等に記載した事項の範囲内においてするものである。
　また、訂正事項１は、訂正の前後で特許請求の範囲に記載された発明の拡張又は変更はないから、特許法第１２６条第５項及び第６項の規定に適合するものである。
２　訂正事項２
（１）訂正の目的について
　訂正前の請求項１には「前記演出実行制御手段は、前記特定の当り遊技の次に行われる当り遊技および該当り遊技後の図柄変動演出において、前記モード決定手段で決定された演出モードに対応する演出パターンを前記図柄表示手段で実行させるよう構成され、」と記載されているが、このような記載では「該当り遊技」が「特定の当り遊技」なのか「特定の当り遊技の次に行われる当り遊技」なのか把握できない不明瞭なものとなっていた。
　ここで、本件特許明細書等の明細書の段落【０１２１】には、
「本実施例のパチンコ機１０では、
通常モードにおいて前記第１および第２始動入賞口３１ａ,３１ｂへのパチンコ球の入賞を契機とする大当り判定が肯定で大当り遊技(特定の当り遊技)が付与された場合に、該大当り遊技
における最終ラウンドにおいて、次回の図柄変動演出の基本的な種類を特定する演出種類モード(演出モード)を複数の中から選択可能な演出種類選択用演出が実行される
特定の当り遊技(図柄Ａ,Ｃまたは図柄ａで当選して大当り遊技終了後に確変状態となるもの)
と記載され、
　明細書の段落【０１４０】〜【０１４４】には、
「【０１４０】
  演出種類ループ処理は、演出種類選択演出で選択した演出種類モードに滞在する状態では、当該演出種類モードに対応する図柄変動演出および大当り演出を繰り返し行うようにした処理である。この演出種類ループ処理では、初回大当りが、確変大当りであった場合で、かつ
演出種類選択演出において演出種類モードＭＡが選択された場合
・・・
【０１４２】
　次に、ステップＣ１３で、大当り判定の判定結果が肯定か否かが判定される。前述したように初回大当りが確変大当りであるので、次に確変大当りに当選するまでは確変状態が継続することにより、ステップＣ１３の判定結果が否定であっても演出種類ループ処理を終了することなく、演出種類モードＭＡに滞在する。また、
大当り判定の判定結果が否定の場合における始動入賞口３１ａ,３１ｂにパチンコ球が入賞した際に実施される演出パターン決定処理に際し、統括制御ＣＰＵ６５ａは、演出種類モードＭＡに対応するはずれ用の選択用演出パターンを複数種類の中から１つ決定
該はずれ用の演出パターンに対応した表示内容で図柄変動演出を実行させるように図柄表示装置１７を制御する
すなわち、統括制御ＲＡＭ６５ｃには演出種類モードＭＡを特定する情報が記憶されているので、第１および２始動入賞口３１ａ,３１ｂへのパチンコ球の入賞に基づく図柄変動演出としては、前述したように滞在中の演出種類モードＭＡに対応する演出が実行される
・・・
【０１４４】
　
大当り判定の判定結果が肯定の場合における始動入賞口３１ａ,３１ｂにパチンコ球が入賞した際に実施される演出パターン決定処理に際し、統括制御ＣＰＵ６５ａは、演出種類モードＭＡに対応し、かつ大当り図柄の種類に対応するあたり用の選択用演出パターンを複数種類の中から１つ決定
該当り用の演出パターンに対応した表示内容で図柄変動演出を実行させるように図柄表示装置１７を制御する
このように、図柄変動演出および引き続いて行われる大当り演出としては、何れも滞在中の演出種類モードＭＡに対応する演出が実行される
と記載されているから、本件特許発明では、特定の当り遊技(図柄Ａ,Ｃまたは図柄ａで当選して大当り遊技終了後に確変状態となるもの)の最終ラウンドにおいて演出モード（例えば、演出種類モードＭＡ）が選択された場合に、当該特定の当り遊技後の第１および２始動入賞口３１ａ,３１ｂへのパチンコ球の入賞に基づく図柄変動演出は、演出種類モードＭＡに対応する演出が実行されることは明らかである。
　そこで、訂正事項２は、
「前記演出実行制御手段は、前記特定の当り遊技の次に行われる当り遊技および該当り遊技後の図柄変動演出において、前記モード決定手段で決定された演出モードに対応する演出パターンを前記図柄表示手段で実行させるよう構成され、」という記載を、
「前記演出実行制御手段は、前記特定の当り遊技の次に行われる当り遊技および該
特定の
（２）新規事項の追加及び特許請求の範囲の拡張又は変更の存否について
　（１）で検討したように、上記訂正事項２は、本件特許明細書等に記載した事項又は記載した事項から自明な事項であり、本件特許明細書等に記載した事項の全ての記載を総合することにより導かれる技術的事項との関係において新たな技術的事項を導入しないものであるから、訂正事項２は、本件特許明細書等に記載した事項の範囲内においてするものである。
　また、訂正事項２は、訂正の前後で特許請求の範囲に記載された発明の拡張又は変更はないから、特許法第１２６条第５項及び第６項の規定に適合するものである。
３　訂正事項３
（１）訂正の目的について
　訂正前の請求項１には「前記モード決定手段が決定した演出モードに対応した図柄変動演出パターンを前記図柄変動演出パターン決定手段すると共に」と記載されているが、「前記図柄変動演出パターン決定手段する」とは、どのような意味なのか不明瞭になっていた。
　ここで、本件特許明細書等の請求項１には、
「前記始動検出手段の球検出を契機として前記図柄変動演出の演出内容を特定する
図柄変動演出パターンを複数種類の中から１つ決定する図柄変動演出パターン決定手段
と記載され、
　明細書の段落【０００６】には、
「前記モード決定手段(65a)が決定した演出モードに対応した
図柄変動演出パターンを前記図柄変動演出パターン決定手段(65a)が決定する
と記載され、
　明細書の段落【０１３８】には、
「すなわち、
複数種類の図柄変動演出パターンの中から１つを決定する図柄変動演出パターン決定手段
としての機能を前記統括制御ＣＰＵ６５ａが備えている
と記載され、
　明細書の段落【０１４４】には、
「大当り判定の判定結果が肯定の場合における始動入賞口３１ａ,３１ｂにパチンコ球が入賞した際に実施される演出パターン決定処理に際し、
統括制御ＣＰＵ６５ａは、演出種類モードＭＡに対応し、かつ大当り図柄の種類に対応するあたり用の選択用演出パターンを複数種類の中から１つ決定
該当り用の演出パターンに対応した表示内容で図柄変動演出を実行させる
と記載されているから、本件特許発明では、図柄変動演出パターン決定手段（統括制御ＣＰＵ６５ａ）が、演出種類モードＭＡに対応し、かつ大当り図柄の種類に対応するあたり用の選択用演出パターンを複数種類の中から１つ決定し、当り用の演出パターンに対応した表示内容で図柄変動表示が実行されることは明らかである。
　そこで、訂正事項３は、
「前記モード決定手段が決定した演出モードに対応した図柄変動演出パターンを前記図柄変動演出パターン決定手段すると共に」という記載を、
「前記モード決定手段が決定した演出モードに対応した図柄変動演出パターンを前記図柄変動演出パターン決定手段が決定すると共に、」に訂正し、不明瞭であった訂正前の請求項１の記載を、本件特許明細書等の請求項１における別の記載箇所、明細書の段落【０００６】、【０１３８】、【０１４４】の内容に沿った明瞭な記載にするためのものであるから、特許法第１２６条第１項ただし書第３号に掲げる、明瞭でない記載の釈明を目的とする訂正に該当する
（２）新規事項の追加及び特許請求の範囲の拡張又は変更の存否について
　（１）で検討したように、上記訂正事項３は、本件特許明細書等に記載した事項又は記載した事項から自明な事項であり、本件特許明細書等に記載した事項の全ての記載を総合することにより導かれる技術的事項との関係において新たな技術的事項を導入しないものであるから、訂正事項３は、本件特許明細書等に記載した事項の範囲内においてするものである。
　また、訂正事項３は、訂正の前後で特許請求の範囲に記載された発明の拡張又は変更はないから、特許法第１２６条第５項及び第６項の規定に適合するものである。
４　訂正事項４
（１）訂正の目的について  
　訂正事項４は、上記訂正事項１及び２の訂正により、本件訂正前の請求項１における明瞭でない記載の釈明の訂正を行った結果、記載表現が一致しなくなった本件特許明細書等の段落【０００６】の記載を、訂正後の請求項１の記載に整合させるための訂正であるから、特許法第１２６条第１項ただし書第３号に掲げる、明瞭でない記載の釈明を目的とする訂正に該当する。
 
（２）新規事項の追加及び特許請求の範囲の拡張又は変更の存否について
　前記１及び２で検討したものと同様の理由により、上記訂正事項４は、本件特許明細書等に記載した事項又は記載した事項から自明な事項であり、本件特許明細書等に記載した事項の全ての記載を総合することにより導かれる技術的事項との関係において新たな技術的事項を導入しないものであるから、訂正事項４は、本件特許明細書等に記載した事項の範囲内においてするものである。
　また、訂正事項４は、訂正の前後で特許請求の範囲に記載された発明の拡張又は変更はないから、特許法第１２６条第５項及び第６項の規定に適合するものである。
第５　むすび
　以上のとおりであるから、本件審判請求に係る訂正は、特許法第１２６条第１項ただし書第３号に掲げる事項を目的とし、かつ同法同条第５項ないし第６項の規定に適合する。
  
　よって、結論のとおり審決する。